(57)【要約】【課題】顎受け台を上下動する際の操作性を向上させることができる眼科装置を提供すること。【解決手段】被検者の顎を受ける上下動可能な顎受け台を有する眼科装置において、前記顎受け台を上下動させるための操作部材を前記顎受け台の左右両側に設ける。前記眼科装置において、顎受け台の左右に立設された２本の支柱であって、前記顎受け台を上下動可能に支持すると共に前記左右の操作部材がそれぞれ支柱の軸回りに回転可能に設けられた２本の支柱と、該２本の支柱の一方に設けられた操作部材の回転運動を前記顎受け台の上下動に変換する変換機構と、前記２本の支柱の他方に設けられた操作部材の回転を前記変換機構側の操作部材に伝達する回転伝達機構と、を備える。【選択図】      図２
2005021182.tif 000002
【特許請求の範囲】
【請求項１】
被検者の顎を受ける上下動可能な顎受け台を有する眼科装置において、前記顎受け台を上下動させるための操作部材を前記顎受け台の左右両側に設けたことを特徴とする眼科装置。
【請求項２】
請求項１の眼科装置において、前記顎受け台の左右に立設された２本の支柱であって、前記顎受け台を上下動可能に支持すると共に前記左右の操作部材がそれぞれ支柱の軸回りに回転可能に設けられた２本の支柱と、該２本の支柱の一方に設けられた操作部材の回転運動を前記顎受け台の上下動に変換する変換機構と、前記２本の支柱の他方に設けられた操作部材の回転を前記変換機構側の操作部材に伝達する回転伝達機構と、を備えることを特徴とする眼科装置。
【発明の詳細な説明】
【０００１】
【発明の属する技術分野】
本発明は、被検眼の検査や観察等を行う眼科装置に関する。
【０００２】
【従来技術】
細隙灯顕微鏡や他覚式屈折力測定装置等の眼科装置においては、被検者の顔を安定して固定すると共に検査光学系に対する被検眼の位置を決めるために、上下動可能な顎受け台が備えられている。顎受け台を上下動させるための回転グリップ等の操作部材は、通常、検者から見て左側のみに設けられていた（例えば、特許文献１参照）。
【０００３】
【特許文献１】
特開２００２−２２４０３６号公報
【０００４】
【発明が解決しようとする課題】
しかしながら、顎受け台を上下動させるためのグリップが左側のみであると、検者の利き手によってそのグリップの操作性に差が生じてくる。例えば、検査光学系を移動するためのジョイスティックを右手で操作する検者においては、右手でジョイスティックを操作しながら、もう片方の左手でグリップを回転することができるので、効率良く被検眼の位置合わせが行える。しかし、左手でジョイスティックを扱う左利きの検者の場合には、一旦、ジョイスティックから左手を離してグリップを回転する必要があるため、操作性が悪く、検査光学系の素早い位置合わせができない。
また、細隙灯顕微鏡では、前房の偶角部を観察するための三面鏡などの補助レンズを用いる場合がある。被検眼の右眼の検査においては、検者は補助レンズを左手に持ちつつ、その補助レンズを被検者の右眼に装着させるが、被検者の顔を上下動させる必要が生じた場合、一旦、補助レンズを離してから、左手でグリップを回して顎受け台の高さを調節していたため、手間がかかっていた。
さらに、左側が壁に面しているような所に装置が設置された場合、左側に備えられたグリップを使って顎受け台の高さを調節することは、スペースが少ないために使いづらく、装置の設置の自由度が少ないといった問題がある。
【０００５】
本発明は、上記問題点に鑑み、顎受け台を上下動する際の操作性を向上させることができる眼科装置を提供することを技術課題とする。
【０００６】
【課題を解決するための手段】
上記課題を解決するために、本発明は以下のような構成を備えることを特徴とする。
【０００７】
（１）  被検者の顎を受ける上下動可能な顎受け台を有する眼科装置において、前記顎受け台を上下動させるための操作部材を前記顎受け台の左右両側に設けたことを特徴とする。
（２）  （１）の眼科装置において、前記顎受け台の左右に立設された２本の支柱であって、前記顎受け台を上下動可能に支持すると共に前記左右の操作部材がそれぞれ支柱の軸回りに回転可能に設けられた２本の支柱と、該２本の支柱の一方に設けられた操作部材の回転運動を前記顎受け台の上下動に変換する変換機構と、前記２本の支柱の他方に設けられた操作部材の回転を前記変換機構側の操作部材に伝達する回転伝達機構と、を備えることを特徴とする。
【０００８】
【発明の実施の形態】
以下、本発明の実施の形態を図面に基づいて説明する。図１及び図２は、本発明に係る第１の実施形態を説明する図であり、ここではスリットランプ（細隙灯顕微鏡）を例としている。図１（ａ）はスリットランプを側面から見た図であり、図１（ｂ）は検者側から見た図である。
【０００９】
スリットランプ１はテーブル３（基台）上を水平方向に移動可能な移動台２を有している。ジョイスティック４を操作することにより、移動台２をテーブル３の面上で粗動及び微動させることができる。１０は被検眼へ照明光を照射するための照明光学系が設けられた照明部である。照明部１０は移動台２に対して軸Ｌを中心に回転可能となっており、被検眼に対する照明光の入射角度を任意に変えることができる。２０は被検眼を観察するための顕微鏡部であり、その内部には観察光学系が配置されている。顕微鏡部２０は、移動台２に対して軸Ｌを中心に回転可能なアーム２２に取り付けられている。顕微鏡部２０も、照明部１０と同様に被検眼に対する観察の角度を任意に変えることができる。
【００１０】
また、照明部１０及び顕微鏡部２０を備えるアーム２２は、ジョイスティック４を軸周りに回転させることにより、移動台２に対して上下移動可能に構成されている。検者はジョイスティック４を回転操作することにより、照明部１０及び顕微鏡部２０の高さを調節できる。
【００１１】
３０は、被検者の顔を固定するためのヘッドレストである。ヘッドレスト３０は、テーブル３の左右に立設された２本の支柱４４Ｒ，４４Ｌ、この支柱４４Ｒ，４４Ｌを平行に保持する為に上端に取り付けられた弓状の保持部材４５、帯状の額当て４１、２本の支柱４４Ｒ，４４Ｌに上下移動可能に支持された顎受け台３１、２本の支柱４４Ｒ，４４Ｌのそれぞれの軸回りに回転可能に支持された操作部材としてのグリップ３３Ｒ，３３Ｌ、等を備える。グリップ３３Ｒ及び３３Ｌは、顎受け３１を挟んで左右両方に設けられる構造となっている。また、２本の支柱４４Ｒ，４４Ｌには、被検眼の高さを合わせるときの基準とするアイレベルマーカ４２がそれぞれ設けられている。２本の支柱４４Ｒ，４４Ｌは、それぞれフランジ３９Ｒ，３９Ｌによりテーブル３に固定されている。
【００１２】
図２は、顎受け台３１の上下移動機構を説明する概略断面図である。顎受け台３１は、２本の支柱４４Ｒ，４４Ｌに掛け渡された支持部材３２の中央上部に取り付けられている。支持部材３２の両端部にはカラー３５Ｒ及び３５Ｌが固定されいる。カラー３５Ｒ及び３５Ｌは、それぞれ支柱４４Ｒ及び４４Ｌに対して、上下動可能にはまり合っている。グリップ３３Ｒはカラー３５Ｒを介して支柱４４Ｒの軸回りに回転可能に支持されている。同様に、グリップ３３Ｌもカラー３５Ｌを介して支柱４４Ｌの軸回りに回転可能に支持されている。また、グリップ３３Ｒの上端部には、カラー３５Ｒの外周部分に対して回転可能なプーリ３７Ｒが取り付けられている。グリップ３３Ｌの上端部にも、カラー３５Ｌの外周部分に対して回転可能なプーリ３７Ｌが取り付けられている。
【００１３】
左側のグリップ３３Ｌの内部には雌ネジ部３３ａが形成されている。雌ネジ部３３ａは、支柱４４Ｌを挿通し固設されているネジ軸３４の上部に形成された雄ネジ部３４ａと噛み合っている。このような構成により、グリップ３３Ｌの回転運動は上下移動に変換され、グリップ３３Ｌ自体が上下動すると共に、カラー３５Ｌ及び支持部材３２を介して、顎受け台３１を上下動することができる。なお、３３ｂ及び３３ｃは、グリップ３３Ｌとネジ軸３４が外れないように規制し、顎受け３１の上下動を制限するためのネジ止め部である。
【００１４】
また、プーリ３７Ｒ，３７Ｌにはベルト３８が掛け渡されている。プーリ３７Ｒ，３７Ｌ及びベルト３８により、グリップ３３Ｒ及びグリップ３３Ｌの回転を相互に伝達する回転伝達機構が構成される。すなわち、プーリ３７Ｒ及び３７Ｌは、それぞれグリップ３３Ｒ及び３３Ｌに固設されているため、グリップ３３Ｒの回転がベルト３８を介してグリップ３３Ｌ側に伝達され、右側のグリップ３３Ｒを回転させることによっても顎受け台３１を上下動することができる。なお、プーリ３７Ｒ，３７Ｌ及びベルト３８は、外部に露出しないようにカバー４６で覆われている。
【００１５】
以上のようにグリップ３３Ｒ及び３３Ｌが顎受け台３１の左右両側に設けられていることにより、左右どちらのグリップを回しても良いため、検者の利き手がどちらであってもジョイスティック４を離すこと無く、ジョイスティック４を操作する手と反対側の手で簡単に顎受け台３１の高さ調節が可能となる。
【００１６】
また、三面鏡等の補助レンズを片方の手で持つ場合でも、他方の手でグリップ３３Ｒ又は３３Ｌを操作することができるため、手間が掛からず効率良く検査が行える。また、スリットランプ１を壁際に設置した場合であっても、空いたスペースの方のグリップを使って顎受け台３１を上下動できるので、操作性が向上すると共に、装置の設置の自由度を増すことができる。
【００１７】
図３及び図４は、第２の実施形態を説明する図である。第２実施形態の装置は、例えば、眼屈折力測定装置である。
【００１８】
図３において、基台６１にはジョイスティック６５の操作により水平方向に移動可能な移動台６３が設けられており、その移動台６３には検査光学系を備える測定部６４が上下移動可能に搭載されている。５０はＴ字状の支基５１を備えるヘッドレスト部である。支基５１の下部は基台６１に固定されている。支基５１の上部には逆Ｕ字状部材７０が設けられており、これに額当て部材７１が取り付けられている。支基５１の中央上部には、顎受け台５２が上下移動可能に支持されている。また、支基５１には顎受け台５２を挟んで左右両側に、顎受け台５２を上下移動するための操作部材としての回転ノブ５３Ｒ，５３Ｌが設けられている。
【００１９】
図４は、支基５１の内部に設けられた顎受け台５２の上下動機構を説明するための図である。ノブ５３Ｒ及び５３Ｌは、水平軸５９を介して連結されており、水平軸５９の中央部付近には第一かさ歯車５４が固定されている。第一かさ歯車５４は、送りねじ５６に固定された第二かさ歯車５５と螺合し、これら歯車の回転によって、送りねじ５６が回転するような構成となっている。５８は、顎受け台５２が取付けられた支柱であり、下端部に雌ネジ部５８ａが設けられ、送りネジ５６の雄ネジ部５６ａと螺合する。また、支柱５８に設けられた溝５８ｂと、支基５１に固定されたビス６０は、支柱５８が回転するのを防止している。
【００２０】
このようにして、ノブ５３Ｒもしくは５３Ｌを回転させると、第一かさ歯車５４、第二かさ歯車５５を介して、送りねじ５６が回転する。そして、送りねじ５６が回転により支柱５８と共に顎受け台５２が上下動される。このような構成により、検者は、第１実施形態と同様に左右のノブ５３Ｒ及び５３Ｌのどちらを回しても、顎受け５２の高さを調節することができる。
【００２１】
【発明の効果】
以上説明したように、本発明により、顎受け台を上下動する際の操作性を向上させた眼科装置を実現できる。
【図面の簡単な説明】
【図１】スリットランプを側面及び検者側から見た図である。
【図２】第１の実施形態における顎受け台の上下移動機構を説明する概略断面図である。
【図３】眼屈折力測定装置を斜め方向より見た概略斜視図である。
【図４】第２の実施形態における顎受け台の上下動機構を説明するための概略断面図である。
【符号の説明】
３１  顎受け台
３３Ｒ、３３Ｌ  グリップ
３３ａ  雌ネジ部
３４  ネジ軸
３４ａ  雄ネジ部
３７Ｒ、３７Ｌ  プーリ
３８  ベルト
４４Ｒ、４４Ｌ  支柱
５３Ｒ、５３Ｌ  ノブ
【図１】
2005021182.tif 000003
【図２】
2005021182.tif 000004
【図３】
2005021182.tif 000005
【図４】
2005021182.tif 000006